(57)【要約】【課題】ＤＶＤプレイヤ等の光ディスク再生装置において、装置の落下時にドライブシャーシ側の回動軸がメインシャーシ側の軸支台から外れないようにして、ドライブシャーシのメインシャーシからの脱落を防ぐ。【解決手段】ドライブシャーシ１の各回動軸３０に、ドライブシャーシ１をメインシャーシ２に係止させるための２つの係止爪３１，３２をそれぞれ設けて、ドライブシャーシ１に対してディスク挿入方向と直交する方向Ｂに力が加えられたときに、ドライブシャーシ１側の各回動軸３０における係止爪３１がメインシャーシ２側の係合溝２７に係止され、係止爪３２がメインシャーシ２側のストッパ２０に係止されるようにした。【選択図】      図７
2004234795.tif 000002
【特許請求の範囲】
【請求項１】
樹脂成形されたメインシャーシと、
光ディスクが載置されるターンテーブルを回転駆動するディスクドライブ、及び前記ターンテーブル上の光ディスクに記録された情報を読み取る光ディスク情報読取手段を保持する樹脂成形されたドライブシャーシとを備え、
前記ドライブシャーシは、ディスク挿入方向と直交する方向の両端に設けられた回動軸でもって、前記メインシャーシに設けられた軸支台に回動自在に支持されている光ディスク再生装置において、
前記メインシャーシには、前記軸支台上に配設された係合溝と、前記回動軸の位置ずれを防ぐためのストッパとを設け、
前記ドライブシャーシの各回動軸には、該ドライブシャーシを前記メインシャーシに係止させるための２つの係止爪をそれぞれ設け、
前記ドライブシャーシに対してディスク挿入方向と直交する方向に力が加えられたときに、前記いずれかの回動軸における２つの係止爪のうち一方が前記係合溝に係止され、他方が前記ストッパに係止されるようにして、前記ドライブシャーシの前記メインシャーシからの脱落を防止するようにしたことを特徴とする光ディスク再生装置。
【請求項２】
前記各回動軸における２つの係止爪のうち少なくとも一方が、その係止爪と一体的に成形されたリブを有することを特徴とする請求項１に記載の光ディスク再生装置。
【請求項３】
メインシャーシと、
光ディスクが載置されるターンテーブルを回転駆動するディスクドライブ、及び前記ターンテーブル上の光ディスクに記録された情報を読み取る光ディスク情報読取手段を保持するドライブシャーシとを備え、
前記ドライブシャーシは、ディスク挿入方向と直交する方向の両端に設けられた回動軸でもって、前記メインシャーシに設けられた軸支台に回動自在に支持されている光ディスク再生装置において、
前記ドライブシャーシの各回動軸に、該ドライブシャーシを前記メインシャーシに係止させるための係止爪をそれぞれ設け、
前記ドライブシャーシに対してディスク挿入方向と直交する方向に力が加えられたときに、前記ドライブシャーシ側のいずれかの回動軸における係止爪のうち少なくとも１つが前記メインシャーシに係止されるようにして、前記ドライブシャーシの前記メインシャーシからの脱落を防止するようにしたことを特徴とする光ディスク再生装置。
【請求項４】
前記各回動軸のうち少なくとも一方がリブを有することを特徴とする請求項３に記載の光ディスク再生装置。
【発明の詳細な説明】
【０００１】
【発明の属する技術分野】
本発明は、ＤＶＤ（Ｄｉｇｉｔａｌ  Ｖｅｒｓａｔｉｌｅ  Ｄｉｓｃ）等の光ディスクに記録された画像、音声等の情報を再生する光ディスク再生装置に係り、特に、メインシャーシとは別にディスクドライブ保持用のドライブシャーシを有する光ディスク再生装置に関する。
【０００２】
【従来の技術】
従来より、ＣＤ（Ｃｏｍｐａｃｔ  Ｄｉｓｃ），ＬＤ（Ｌａｓｅｒ  Ｄｉｓｃ），ＤＶＤ−ＲＯＭ（ＤＶＤ−Ｒｅａｄ  Ｏｎｌｙ  Ｍｅｍｏｒｙ），ＭＤ（Ｍｉｎｉ  Ｄｉｓｃ）等の光ディスクに記録された画像、音声、文字等の情報を再生する光ディスク再生装置において、メインシャーシとは別にディスクドライブ保持用のドライブシャーシを有するものがある。この種の装置では、一般的にドライブシャーシは、ディスク挿入方向と直交する方向の両端に回動軸を有しており、これらの回動軸をメインシャーシ側の軸支台に係合させることによりメインシャーシと連結されている。そして、光ディスクのチャッキング時には、ドライブシャーシが回動軸を中心に回動して、ドライブシャーシ側のターンテーブルとメインシャーシ側のチャックディスクとが光ディスクを挟み込む。
【０００３】
また、磁気ディスクユニットとプリント基板とを有する装置の分野において、プリント基板取付用のねじが絶縁用のインシュレータから脱落するのを防ぐために、インシュレータ側にねじの係着用の爪を設けたものが知られている（例えば、特許文献１参照）。また、ビデオカメラの分野において、フレームがゴムブッシュを介して機構ユニット部を支持する機構を採用することなく、装置の落下時における衝撃を吸収することを目的として、フレームが、４本のＳ字状の弾性細条でフレームと連結されたねじ止め座を介して機構ユニット部を支持するようにしたものが知られている（例えば、特許文献２参照）。
【０００４】
【特許文献１】
特開平９−１３９０６３号公報（第１−３頁、図１）
【特許文献２】
特開２０００−３５６２０６号公報（第１−４頁、図１−３）
【０００５】
【発明が解決しようとする課題】
しかしながら、上記のようなドライブシャーシのディスク挿入方向と直交する方向の両端に設けた回動軸をメインシャーシの軸支台に係合させてドライブシャーシをメインシャーシと連結する光ディスク再生装置では、一般的にメインシャーシ及びドライブシャーシが可撓性のある樹脂で成形されているので、ドライブシャーシに対してディスク挿入方向と直交する方向に力が加えられたときに、ドライブシャーシの回動軸がメインシャーシに押し付けられて撓みやすい。このため、装置の落下時にドライブシャーシ側の回動軸がメインシャーシ側の軸支台から外れて、ドライブシャーシがメインシャーシから脱落してしまうことがあった。
【０００６】
また、上記特許文献１に示される発明をドライブシャーシ両端における回動軸のメインシャーシ軸支台への取り付けに適用した場合には、ドライブシャーシをメインシャーシに対して回動させることができない。さらにまた、上記特許文献２に示される発明を光ディスク再生装置におけるドライブシャーシのメインシャーシへの取り付けに適用したとしても、ドライブシャーシのメインシャーシからの脱落を防ぐことはできず、しかも、弾性細条を有するねじ止め座が必要になるため、部品点数が増えて、コストアップにつながるという問題があった。
【０００７】
本発明は、上記の問題を解決するためになされたものであり、装置の落下時にドライブシャーシ側の回動軸がメインシャーシ側の軸支台から外れないようにして、ドライブシャーシのメインシャーシからの脱落を防ぐことが可能な光ディスク再生装置を提供することを目的とする。
【０００８】
【課題を解決するための手段】
上記目的を達成するために請求項１の発明は、樹脂成形されたメインシャーシと、光ディスクが載置されるターンテーブルを回転駆動するディスクドライブ、及びターンテーブル上の光ディスクに記録された情報を読み取る光ディスク情報読取手段を保持する樹脂成形されたドライブシャーシとを備え、ドライブシャーシは、ディスク挿入方向と直交する方向の両端に設けられた回動軸でもって、メインシャーシに設けられた軸支台に回動自在に支持されている光ディスク再生装置において、メインシャーシには、軸支台上に配設された係合溝と、回動軸の位置ずれを防ぐためのストッパとを設け、ドライブシャーシの各回動軸には、ドライブシャーシをメインシャーシに係止させるための２つの係止爪をそれぞれ設け、ドライブシャーシに対してディスク挿入方向と直交する方向に力が加えられたときに、いずれかの回動軸における２つの係止爪のうち一方が係合溝に係止され、他方がストッパに係止されるようにして、ドライブシャーシのメインシャーシからの脱落を防止するようにしたものである。
【０００９】
上記構成においては、装置が落下して、ドライブシャーシに対してディスク挿入方向と直交する方向に力が加えられたときに、ドライブシャーシ側のいずれかの回動軸における２つの係止爪のうち一方がメインシャーシ側の係合溝に係止され、他方がメインシャーシ側のストッパに係止されるので、ドライブシャーシ及びその回動軸がメインシャーシに押し付けられて撓むことを防ぐことができる。
これにより、装置の落下時にドライブシャーシ側の回動軸がメインシャーシ側の軸支台から外れて、ドライブシャーシがメインシャーシから脱落してしまうことを防ぐことができる。
【００１０】
また、請求項２の発明は、請求項１の発明において、各回動軸における２つの係止爪のうち少なくとも一方が、その係止爪と一体的に成形されたリブを有するものである。この構成においては、係止爪をリブで補強することができるので、装置が落下して、ドライブシャーシに対してディスク挿入方向と直交する方向に力が加えられたときに、係止爪が折れてしまうことを防ぐことができる。
【００１１】
また、請求項３の発明は、メインシャーシと、光ディスクが載置されるターンテーブルを回転駆動するディスクドライブ、及びターンテーブル上の光ディスクに記録された情報を読み取る光ディスク情報読取手段を保持するドライブシャーシとを備え、ドライブシャーシは、ディスク挿入方向と直交する方向の両端に設けられた回動軸でもって、メインシャーシに設けられた軸支台に回動自在に支持されている光ディスク再生装置において、ドライブシャーシの各回動軸に、ドライブシャーシをメインシャーシに係止させるための係止爪をそれぞれ設け、ドライブシャーシに対してディスク挿入方向と直交する方向に力が加えられたときに、ドライブシャーシ側のいずれかの回動軸における係止爪のうち少なくとも１つがメインシャーシに係止されるようにして、ドライブシャーシのメインシャーシからの脱落を防止するようにしたものである。
【００１２】
この構成においては、装置が落下して、ドライブシャーシに対してディスク挿入方向と直交する方向に力が加えられたときに、いずれかの回動軸における係止爪のうち少なくとも１つがメインシャーシに係止されるので、ドライブシャーシ及びその回動軸がメインシャーシに押し付けられて撓むことを防ぐことができる。これにより、上記請求項１と同様な作用を得ることができる。
【００１３】
また、請求項４の発明は、請求項３の発明において、各回動軸のうち少なくとも一方がリブを有するものである。この構成においては、回動軸をリブで補強することができるので、装置の落下時に回動軸の破損を防止することができる。
【００１４】
【発明の実施の形態】
以下、本発明を具体化した実施形態について図面を参照して説明する。本実施形態によるＤＶＤ（Ｄｉｇｉｔａｌ  Ｖｅｒｓａｔｉｌｅ  Ｄｉｓｃ）プレイヤは、メインシャーシとは別にディスクドライブ保持用のドライブシャーシを有するタイプのものであり、これらのメインシャーシ及びドライブシャーシは可撓性のある樹脂で成形されている。図１と図２とは、それぞれ本実施形態によるＤＶＤプレイヤ（光ディスク再生装置）のドライブシャーシ１及びメインシャーシ２を装置の底面側と上面側とから見た様子を示す。図１中の１１と２１とは、それぞれドライブシャーシ１の裏面とメインシャーシ２の裏面とを示し、図２中の１２と２２とは、それぞれドライブシャーシ１の表面とメインシャーシ２の表面とを示す。また、図３は、ドライブシャーシ１取付前におけるメインシャーシ２を底面側から見た様子を示す。メインシャーシ２は、図２及び図３に示されるように、その略中央部にチャックディスクの取付板２３を有している。また、ドライブシャーシ１は、図１及び図２に示されるように、トレイ挿入方向から見た装置の奥部に開口３を有しており、また、トレイ挿入方向と直交する方向の両端に、メインシャーシ２に対する回動軸３０を有している。このドライブシャーシ１には、不図示の光ピックアップ（光ディスク情報読取手段）、ディスクドライブ、及びこのディスクドライブにより駆動されるターンテーブルが保持される。
【００１５】
上記のドライブシャーシ１は、ＤＶＤの載置されたトレイが所定の位置まで収納されたときに、不図示のトレイ開閉用モータの駆動により回動軸３０を中心に図１に示されるトレイ挿入方向と垂直な方向（チャッキング・オン方向）に回動する。これにより、ドライブシャーシ１側のターンテーブルとメインシャーシ２側のチャックディスクとでトレイ上のＤＶＤが挟み込まれる。上記のトレイ開閉用モータの駆動は、不図示のカムや回動ギアを介して回動軸３０に伝達される。
【００１６】
次に、図４（ａ）（ｂ）及び図５を参照して、上記の回動軸３０の構成について説明する。図４（ａ）（ｂ）は、それぞれメインシャーシ２への取付前のドライブシャーシ１における図２中の破線Ａに相当する部分を拡大した上面図と側面図であり、図５は回動軸３０の斜視図である。回動軸３０は、ドライブシャーシ１の裏面１１側に係止爪３１を有しており、また、ドライブシャーシ１の表面側１２に係止爪３２を有している。これらの係止爪３１，３２は、装置の落下時にドライブシャーシ１がメインシャーシ２から脱落するのを防ぐために用いられる。また、回動軸３０は、図４（ｂ）及び図５に示されるように、回動軸３０の補強用のリブ３３，３４、及び係止爪３２の補強用のリブ３５を有している。
【００１７】
次に、図６及び図７を参照して、上記のドライブシャーシ１に対してディスク挿入方向と直交する方向に力が加えられた場合における係止爪３１，３２の働きについて説明する。図６は図２中の破線Ａの部分を拡大した上面図であり、図７は図６のＤ−Ｄ線断面図である。メインシャーシ２は、図７に示されるように、回動軸３０の位置ずれを防ぐためのストッパ２０と回動軸３０の支持台（軸支台）２９とを有しており、また、この支持台２９には、ドライブシャーシ１側の係止爪３１との係合溝２７が設けられている。
【００１８】
上記の構成において、ＤＶＤプレイヤが落下し、ドライブシャーシ１に対して図７に示されるディスク挿入方向と直交する方向Ｂに力が加えられた場合には、ドライブシャーシ１側の係止爪３１と係止爪３２とがそれぞれメインシャーシ２側の係合溝２７を構成する面２７ａとストッパ２０上の面２４とに当接して係止されるので、ドライブシャーシ１及びその回動軸３０のメインシャーシ２に対する位置ずれを防ぐことができる。これにより、ＤＶＤプレイヤの落下時に、可撓性のあるドライブシャーシ１及びその回動軸３０がメインシャーシ２に押し付けられて撓むことを防ぐことができるので、ドライブシャーシ１側の回動軸３０がメインシャーシ２側の支持台２９から外れて、ドライブシャーシ１がメインシャーシ２から脱落してしまうことを防ぐことができる。
【００１９】
また、メインシャーシ２は、図６に示されるように、ドライブシャーシ１の脱落防止用の係止片２６を有している。ＤＶＤプレイヤが落下し、ドライブシャーシ１に対して、ディスク挿入方向と平行な方向（図６中のＢと直交する方向）に力が加えられたときには、係止片２６が回動軸３０のディスク挿入方向と平行な方向への移動を抑えるので、ドライブシャーシ１側の回動軸３０がメインシャーシ２側の支持台２９（図７参照）から外れて、ドライブシャーシ１がメインシャーシ２から脱落してしまうことを防ぐことができる。
【００２０】
上述したように、本実施形態によるＤＶＤプレイヤによれば、ドライブシャーシ１の各回動軸３０に、ドライブシャーシ１をメインシャーシ２に係止させるための２つの係止爪３１，３２をそれぞれ設け、ドライブシャーシ１に対してディスク挿入方向と直交する方向Ｂに力が加えられたときに、ドライブシャーシ１側のいずれかの回動軸３０における係止爪３１がメインシャーシ２側の係合溝２７に係止されて、係止爪３２がメインシャーシ２側のストッパ２０に係止されるようにした。これにより、ＤＶＤプレイヤの落下時に、ドライブシャーシ１側の回動軸３０がメインシャーシ２側の支持台２９から外れて、ドライブシャーシ１がメインシャーシ２から脱落してしまうことを防ぐことができる。また、各回動軸３０における係止爪３２が、その係止爪３２と一体的に成形されたリブ３５を有するようにしたことにより、係止爪３２をリブ３５で補強することができるので、ＤＶＤプレイヤの落下時に係止爪３２の破損を防止することができる。さらにまた、各回動軸３０がリブ３３乃至３５を有するようにしたことにより、各回動軸３０をリブ３３乃至３５で補強することができるので、ＤＶＤプレイヤの落下時に回動軸３０の破損を防止することができる。
【００２１】
なお、本発明は、上記実施形態に限られるものではなく、様々な変形が可能である。例えば、本実施形態では、ドライブシャーシ１側の各回動軸３０が有する係止爪の個数を２つとし、リブの個数を３つとしたが、各回動軸が有する係止爪及びリブの個数はこれに限らない。また、上記実施形態では、各回動軸３０が有する係止爪３１，３２のうち係止爪３２の方にのみ補強用のリブ３５を設けたが、全ての係止爪に補強用のリブを設けてもよい。
【００２２】
【発明の効果】
以上説明したように請求項１の発明によれば、ドライブシャーシの各回動軸に、ドライブシャーシをメインシャーシに係止させるための２つの係止爪をそれぞれ設けて、ドライブシャーシに対してディスク挿入方向と直交する方向に力が加えられたときに、ドライブシャーシ側のいずれかの回動軸における２つの係止爪のうち一方がメインシャーシ側の係合溝に係止され、他方がメインシャーシ側のストッパに係止されるようにした。これにより、装置の落下時に、ドライブシャーシ側の回動軸がメインシャーシ側の軸支台から外れて、ドライブシャーシがメインシャーシから脱落してしまうことを防ぐことができる。
【００２３】
また、各回動軸における２つの係止爪のうち少なくとも一方が、その係止爪と一体的に成形されたリブを有するようにしたことにより、係止爪をリブで補強することができるので、装置の落下時に係止爪の破損を防止することができる。
【００２４】
また、請求項３の発明によれば、ドライブシャーシの各回動軸に、ドライブシャーシをメインシャーシに係止させるための係止爪をそれぞれ設けて、ドライブシャーシに対してディスク挿入方向と直交する方向に力が加えられたときに、ドライブシャーシ側のいずれかの回動軸における係止爪のうち少なくとも１つがメインシャーシに係止されるようにした。これにより、上記請求項１に記載の発明と同等の効果を得ることができる。
【００２５】
また、各回動軸のうち少なくとも一方がリブを有するようにしたことにより、回動軸をリブで補強することができるので、装置の落下時に回動軸の破損を防止することができる。
【図面の簡単な説明】
【図１】本発明の一実施形態に係る光ディスク再生装置のドライブシャーシ及びメインシャーシの底面図。
【図２】上記ドライブシャーシ及びメインシャーシの上面図。
【図３】上記ドライブシャーシへの取付前におけるメインシャーシの底面図。
【図４】（ａ）（ｂ）は、それぞれ上記メインシャーシへの取付前のドライブシャーシにおける図２中の破線Ａに相当する部分を拡大した上面図と側面図。
【図５】上記ドライブシャーシにおける回動軸の斜視図。
【図６】図２中の破線Ａの部分を拡大した上面図。
【図７】図６のＤ−Ｄ線断面図。
【符号の説明】
１      ドライブシャーシ
２      メインシャーシ
２０    ストッパ
２７    係合溝
２９    支持台（軸支台）
３０    回動軸
３１    係止爪
３２    係止爪
３３    リブ
３４    リブ
３５    リブ
【図１】
2004234795.tif 000003
【図２】
2004234795.tif 000004
【図３】
2004234795.tif 000005
【図４】
2004234795.tif 000006
【図５】
2004234795.tif 000007
【図６】
2004234795.tif 000008
【図７】
2004234795.tif 000009